(57)【要約】【課題】取付孔への挿入性と取付後の変形を抑える留め具を提供する。【解決手段】留め具において、第１環状壁部２２は、一端が基部２０に連設される。第２環状壁部２４は、第１環状壁部２２の外側で第１環状壁部２２に対向して設けられる。連結部２３は、第１環状壁部２２および第２環状壁部２４の他端をそれぞれ連結する。フランジ部２６は、第２環状壁部２４の一端から外向きに張り出す。複数のリブ２８は、第１環状壁部２２および第２環状壁部２４の間の溝に設けられる。係止部３０は、第２環状壁部２４は、取付孔の縁に係止する。リブ２８の第１リブは、第１環状壁部２２の他端から第２環状壁部２４の他端に渡って連結部２３に形成される。リブ２８の第２リブは、第１リブに連なって第２環状壁部２４の溝側の面に形成される。第２リブと第１環状壁部２２の間に空隙部３４が形成される。【選択図】図２
2017203543.tif 000002
【特許請求の範囲】
【請求項１】
被取付部材に形成された取付孔に留めるための留め具であって、
基部と、
一端が前記基部に連設される第１環状壁部と、
前記第１環状壁部の外側で前記第１環状壁部に対向して設けられる第２環状壁部と、
前記第１環状壁部の他端および前記第２環状壁部の他端をそれぞれ連結する環状の連結部と、
前記第２環状壁部の一端から外向きに張り出すフランジ部と、
前記第１環状壁部および前記第２環状壁部の間の溝に設けられる複数のリブと、を備え、
前記第２環状壁部は、取付孔の縁に係止する係止部を有し、
前記リブは、
前記第１環状壁部の他端から前記第２環状壁部の他端に渡って前記連結部に形成される第１リブと、
前記第１リブに連なって前記第２環状壁部の溝側の面に形成される第２リブと、を有し、
前記第２リブと前記第１環状壁部の間に空隙部が形成されることを特徴とする留め具。
【請求項２】
前記第２リブは、前記係止部より前記第２環状壁部の他端側から前記係止部より前記第２環状壁部の一端側にまで延在し、
前記空隙部は、前記係止部より前記第２環状壁部の他端側の位置にまで形成されることを特徴とする請求項１に記載の留め具。
【請求項３】
前記リブは、前記第１リブに連なって前記第１環状壁部の溝側の面に形成される第３リブをさらに有し、
前記空隙部は、前記第２リブおよび前記第３リブの間に形成されることを特徴とする請求項１または２に記載の留め具。
【請求項４】
前記第２リブは、前記第２環状壁部の一端より他端側に位置することを特徴とする請求項１から３のいずれかに記載の留め具。
【請求項５】
該留め具は長孔状に形成されて、前記第１環状壁部および前記第２環状壁部は直線状の長辺部分を有し、
前記リブは、前記第１環状壁部および前記第２環状壁部の長辺部分の間の溝に設けられることを特徴とする請求項１から４のいずれかに記載の留め具。
【発明の詳細な説明】
【技術分野】
【０００１】
本発明は、被取付部材の取付孔に取り付けられる留め具に関する。
【背景技術】
【０００２】
特許文献１には、車体パネル等の板材に設けられる孔を閉塞するホールプラグが開示される。このホールプラグは、円盤状の頭部と、頭部から下向きに突設された脚部と、脚部の上周囲に突設されたフランジ部とを有する。脚部は、筒形の内壁と、内壁から折り返された筒形の外壁とを有する。
【先行技術文献】
【特許文献】
【０００３】
【特許文献１】特開２０１２−７２８９６号公報
【発明の概要】
【発明が解決しようとする課題】
【０００４】
特許文献１に開示される技術では、ホールプラグを板材の孔に取り付ける際に、外壁および内壁が径方向内向きに撓むため、挿入性は確保されているが、取り付け完了後に外壁および内壁が撓んでホールプラグと板材の隙間が生じるおそれがある。
【０００５】
本発明はこのような課題に鑑みてなされたものであり、その目的は、取付孔への挿入性と取付後の変形を抑える留め具を提供することにある。
【課題を解決するための手段】
【０００６】
上記課題を解決するために、本発明のある態様の留め具は、被取付部材に形成された取付孔に留めるための留め具であって、基部と、一端が基部に連設される第１環状壁部と、第１環状壁部の外側で第１環状壁部に対向して設けられる第２環状壁部と、第１環状壁部の他端および第２環状壁部の他端をそれぞれ連結する環状の連結部と、第２環状壁部の一端から外向きに張り出すフランジ部と、第１環状壁部および第２環状壁部の間の溝に設けられる複数のリブと、を備える。第２環状壁部は、取付孔の縁に係止する係止部を有する。リブは、第１環状壁部の他端から第２環状壁部の他端に渡って連結部に形成される第１リブと、第１リブに連なって第２環状壁部の溝側の面に形成される第２リブと、を有する。第２リブと第１環状壁部の間に空隙部が形成される。
【発明の効果】
【０００７】
本発明によれば、取付孔への挿入性と取付後の変形を抑える留め具を提供できる。
【図面の簡単な説明】
【０００８】
【図１】実施例の留め具の斜視図である。
【図２】図１（ａ）に示す留め具の線分Ａ−Ａの断面図である。
【図３】取付孔への留め具の取り付け動作について説明するための図である。
【図４】取付孔への留め具の取り付け動作を示し、図３に示す留め具の取り付け動作の続きを示す図である。
【図５】変形例の留め具について説明するための図である。
【発明を実施するための形態】
【０００９】
図１は、実施例の留め具１０の斜視図である。図１（ａ）は表側からみた留め具１０であり、図１（ｂ）は裏側からみた留め具１０である。また、図２は、図１（ａ）に示す留め具１０の線分Ａ−Ａの断面図である。
【００１０】
留め具１０は、被取付部材の取付孔に取り付けられる。被取付部材は、たとえば車体パネルであり、取付孔を有する。取付孔は、長孔状に形成され、部品を取り付ける治具を通すためや、塗装のために車体パネルに形成される。留め具１０は、樹脂材料で形成され、取付孔を閉塞して、車体パネルの外から室内側に泥水などが入ることを抑える。
【００１１】
留め具１０は、基部２０、第１環状壁部２２、連結部２３、第２環状壁部２４、フランジ部２６、リブ２８および係止部３０を備える。実施例の留め具１０は、別体のシール材を用いておらず、安価に製造できる。
【００１２】
基部２０は、板状で、取付孔の形状に応じて長孔状に形成される。基部２０の外周は、直線状の長辺部分２０ａと、円弧状部分２０ｂを有する。
【００１３】
第１環状壁部２２は、基部２０の周縁から屈曲して垂下するように形成される。第１環状壁部２２の一端２２ａが基部２０に連設され、他端２２ｂが連結部２３に連設される。第１環状壁部２２の一端２２ａ側が留め具１０の表側に位置する。
【００１４】
第２環状壁部２４は、第１環状壁部２２の外側で第１環状壁部２２に対向して設けられ、連結部２３から屈曲して立設するように形成される。第２環状壁部２４は、第１環状壁部２２より薄く、第１環状壁部２２より撓みやすい。第２環状壁部２４の一端２４ａがフランジ部２６に連設され、他端２４ｂが連結部２３に連設される。第１環状壁部２２および第２環状壁部２４は、基部２０と同じく、長辺部分および円弧状部分を有する。
【００１５】
第２環状壁部２４の外面（後述する溝の外面）には、取付孔の裏縁に係止する係止部３０が段状に形成される。係止部３０は、第２環状壁部２４の外面に環状に形成される。図１（ｂ）に示すように、係止部３０は、複数の切欠部３２により部分的に切り欠いて形成される。複数の切欠部３２は、リブ２８が設けられる位置に対応する外面側に形成される。リブ２８を設けることで第２環状壁部２４が過度に撓みづらくなることを、切欠部３２により抑えることができる。
【００１６】
連結部２３は、第１環状壁部２２の他端２２ｂおよび第２環状壁部２４の他端２４ｂをそれぞれ連結し、環状に形成される。第１環状壁部２２、連結部２３および第２環状壁部２４により、基部２０の外周に溝が形成される。フランジ部２６は、第２環状壁部２４の一端２４ａから延出し、傘状に形成される。フランジ部２６は、被取付部材の表面に密着する。
【００１７】
ところで、取付完了状態では、留め具１０が取付孔の全周に均一に密着することが好ましい。留め具１０は直線状の長辺部分を有しており、その長辺部分が弛んで密着性が低下するおそれがある。そこで、実施例の留め具１０では、少なくとも長辺部分の溝にリブ２８を設けて、長辺部分の弛みを抑えることができる。
【００１８】
リブ２８は、第１環状壁部２２および第２環状壁部２４の間の溝に突出して設けられ、略Ｕ字形状に形成される。複数のリブ２８は、留め具１０の中心に対称な位置にそれぞれ設けられる。リブ２８は、図２に示すように、第１環状壁部２２の他端から第２環状壁部２４の他端に渡って連結部２３に形成される第１リブ２８ａと、第１リブ２８ａに連なって第２環状壁部２４の溝側の内面に形成される第２リブ２８ｂと、第１リブ２８ａに連なって第１環状壁部２２の溝側の内面に形成される第３リブ２８ｃとにより構成される。第１リブ２８ａは、底に位置する連結部２３の上面に形成され、第２リブ２８ｂおよび第３リブ２８ｃは第１リブ２８ａからそれぞれ上方に延びる。
【００１９】
第２リブ２８ｂおよび第３リブ２８ｃの間には空隙部３４が形成される。ところで、取付孔への挿入時に第２環状壁部２４は第１環状壁部２２に接近するように撓む。空隙部３４により、第２環状壁部２４の撓みがリブ２８により過度に制限されることを抑えることができ、挿入力の上昇を抑えることができる。
【００２０】
図３は、取付孔１２ａへの留め具１０の取り付け動作について説明するための図である。図４は、取付孔１２ａへの留め具１０の取り付け動作を示し、図３に示す留め具１０の取り付け動作の続きを示す。
【００２１】
図３（ａ）に示すように被取付部材１２の取付孔１２ａへ、留め具１０は裏側の連結部２３から押し込まれ、第２環状壁部２４の外面が取付孔１２ａの縁に当接する。第２環状壁部２４は、拡径するように形成されており、留め具１０を押し込むにつれて、取付孔１２ａの縁から内向きの力を受ける。
【００２２】
図３（ｂ）および図３（ｃ）に示すように、第２環状壁部２４が内向き、すなわち第１環状壁部２２に接近する方向に撓む。このとき、空隙部３４により、第２環状壁部２４の撓みが許容され、留め具１０を挿入しやすくできる。図３（ｄ）に示すように、さらに留め具１０が押し込まれると、フランジ部２６の先端が被取付部材１２の表面に当接する。
【００２３】
図４（ａ）および図４（ｂ）に示すように、留め具１０の押し込みにより、第２環状壁部２４はさらに第１環状壁部２２に接近するように撓み、フランジ部２６は、被取付部材１２の表面に押し付けられて拡がるように撓む。
【００２４】
図４（ｃ）に示すように、係止部３０は取付孔１２ａを通過して取付孔１２ａの裏縁に係止する。第２環状壁部２４は、第１リブ２８ａより上方の部分は撓んでいるものの、第１リブ２８ａにより根本部分の撓みが制限されている。第１リブ２８ａにより、長辺部分が弛んでシール性が低下することを抑えることができる。また、第２リブ２８ｂおよび第３リブ２８ｃにより、第１環状壁部２２および第２環状壁部２４の剛性を上げることができるため、第１環状壁部２２および第２環状壁部２４がへたって、長辺部分のシール性が低下することを抑えることができる。
【００２５】
第２リブ２８ｂは、係止部３０より第２環状壁部２４の他端２４ｂ側から係止部３０より第２環状壁部２４の一端２４ａ側にまで延在する。つまり、第２リブ２８ｂの上端は、係止部３０より上方に位置する。また、第３リブ２８ｃも、係止部３０より第１環状壁部２２の他端２２ｂ側から係止部３０より第１環状壁部２２の一端２２ａ側にまで延在する。つまり、第３リブ２８ｃの上端は係止部３０より上方に位置する。これにより、第１環状壁部２２や第２環状壁部２４のへたりを抑え、取付孔から受ける内向きの力に対して変形を抑えて、シール性の低下を抑えることができる。
【００２６】
空隙部３４は、係止部３０より第２環状壁部２４の他端２４ｂ側の位置にまで形成される。つまり、空隙部３４の下端は、係止部３０より第２環状壁部２４の他端２４ｂ側に位置する。係止部３０が取付孔１２ａを通過するときの挿入力を低減できる。
【００２７】
第２リブ２８ｂは、第２環状壁部２４の一端２４ａより他端２４ｂ側に位置する。つまり、第２リブ２８ｂの上端は、第２環状壁部２４の上端より凹んで位置し、基部２０の表面より凹んで位置する。また第２リブ２８ｂの上端は、フランジ部２６の表面の最上端より第２環状壁部２４の他端２４ｂ側に位置する。これにより、フランジ部２６が撓みやすく、被取付部材１２の板厚の変化に対応できる。第３リブ２８ｃも、第２リブ２８ｂと同様に、第１環状壁部２２の一端２２ａより他端２２ｂ側に位置する。つまり、第３リブ２８ｃの上端は、第１環状壁部２２の上端より凹んで位置し、基部２０の表面より凹んで位置する。
【００２８】
図１（ａ）に示すように、複数のリブ２８は、留め具１０の長辺部分だけでなく、円弧状部分にも設けられる。これにより、円弧状部分２０ｂのへたりを抑え、シール性の全周のバランスをとることができる。
【００２９】
図５は、変形例の留め具１０について説明するための図である。変形例の留め具１０は、図２に示す留め具１０と比べて、リブ１２８の形状が異なる。変形例のリブ１２８は、図２に示すリブ２８と比べて、第１環状壁部２２側の第３リブ２８ｃが形成されておらず、略Ｊ字形状に形成される。
【００３０】
変形例のリブ１２８は、第１環状壁部２２および第２環状壁部２４の間の溝に突出して設けられる。リブ１２８は、第１環状壁部２２の他端から第２環状壁部２４の他端に渡って連結部２３に形成される第１リブ１２８ａと、第１リブ１２８ａに連なって第２環状壁部２４の内面に形成される第２リブ１２８ｂとにより構成される。
【００３１】
変形例の留め具１０では、リブ１２８によりシール性を高めつつも、空隙部１３４が第２リブ１２８ｂと第１環状壁部２２の間に形成されることで挿入力を低減できる。
【００３２】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【符号の説明】
【００３３】
１０  留め具、  １２ａ  取付孔、  １２  被取付部材、  ２０  基部、  ２２  第１環状壁部、  ２３  連結部、  ２４  第２環状壁部、  ２６  フランジ部、  ２８  リブ、  ２８ａ  第１リブ、  ２８ｂ  第２リブ、  ２８ｃ  第３リブ、  ３０  係止部、  ３４  空隙部。
【図１】
2017203543.tif 000003
【図２】
2017203543.tif 000004
【図３】
2017203543.tif 000005
【図４】
2017203543.tif 000006
【図５】
2017203543.tif 000007